(57)【要約】      （修正有）【課題】羽根を跳ね返すことによって一人で練習することができるバドミントン練習器具を提供する。【解決手段】使用者が打った羽根を跳ね返す打ち返し手段１２と、打ち返し手段を保持する保持手段１１と、を有し、打ち返し手段は、所望の平面を有する網形状の部材であり、保持手段は、打ち返し手段に引張り応力をかけながら、打ち返し手段の外縁を保持し、使用者が打った羽根を、打ち返し手段の所望の平面で受け、張力で羽根を跳ね返す。また、打ち返し手段の張力を調整する張力調整手段１３を更に有し、張力調整手段は、使用者が打った羽根を受ける表面とは反対側の裏面に配置され、打ち返し手段の網形状の部材に押し付けて打ち返し手段の引張り応力、張力を増加させ、跳ね返す羽根の速度を増加する。【選択図】図１
0003230804.tif 000002
【実用新案登録請求の範囲】
【請求項１】
羽根を跳ね返すことによって一人で練習することができるバドミントン練習器具であって、
使用者が打った前記羽根を跳ね返す打ち返し手段と、
前記打ち返し手段を保持する保持手段と、
を有し、
前記打ち返し手段は、所望の平面を有する網形状の部材であり、
前記保持手段は、前記打ち返し手段に引張り応力をかけながら、該打ち返し手段の外縁を保持し、
前記使用者が打った前記羽根を、前記打ち返し手段の前記所望の平面で受け、前記打ち返し手段の張力で該羽根を跳ね返す、
ことを特徴とするバドミントン練習器具。
【請求項２】
前記打ち返し手段の前記張力を調整する張力調整手段を更に有し、
前記張力調整手段は、前記使用者が打った前記羽根を受ける表面とは反対側の裏面に配置され、前記打ち返し手段の前記網形状の部材に押し付けて前記打ち返し手段の前記引張り応力を増加させ、該打ち返し手段の前記張力を増加させ、跳ね返す前記羽根の速度を増加する、
ことを特徴とする、請求項１に記載のバドミントン練習器具。
【請求項３】
前記張力調整手段は、略棒形状の支持部材と、前記網形状の部材に押し付ける張力負荷部と、前記張力負荷部を前記支持部材に固定する取り付け部とを備え、
前記支持部材は、前記打ち返し手段の前記網形状の部材の中心部から外縁部に向けて間隙が狭くなるように配置され、
前記取り付け部は、前記支持部材の略棒形状の長手方向に移動可能に前記張力負荷部を取り付け、
前記張力負荷部は、前記取り付け部を用いて前記支持部材の略棒形状の長手方向の所望の位置に配置され、前記張力を減少するときに前記網形状の部材の中心部に固定し、前記張力を増加するときに前記網形状の部材の外縁部に固定して、前記打ち返し手段の前記張力を調整する、
ことを特徴とする、請求項２に記載のバドミントン練習器具。
【考案の詳細な説明】
【技術分野】
【０００１】
本考案は、バドミントン練習器具に関する。本考案は、バドミントンの羽根（シャトル・コック）を自動で跳ね返すことによって一人で練習できるバドミントン練習器具に関するものであってもよい。
【背景技術】
【０００２】
バドミントンは、羽根（シャトル・コック）を打ち合う球技である。テニスのようにボールを打ち合う球技では、壁面等を利用することによって一人で練習することができる。特許文献１には、フレームの内部前方に固設した支持枠の上部に固定され、複数のシャトルを、台を下向きとして順次積み重ねた状態にて内装保持するホッパーと、一対の回転体の前端にシャトル引き落し用爪板を有し、前記支持枠に左右方向へ所定の軸間距離をおいて軸支され、駆動源によって各内向きに連動回転され、前記ホッパー内の下部シャトルを１個ずつ下方へ引き落して移送するシャトル移送機構と、前記シャトル移送機構の下方部に、シャトルを傾斜した状態で保持可能に形成され、かつ前方にシャトル打出し口を有するシャトル待機用空所と、前記シャトル待機用空所の後方部に、前記シャトル待機用空所内のシャトルを前方外側に向けて打出し可能に軸支されている高速回転自在なシャトル打出用板とを備え、前記シャトル移送機構によるシャトル移送及び前記シャトル打出用板によるシャトル打出しを交互に連動動作されるよう構成したことを特徴とするバトミントン練習機に関する技術を開示している。特許文献２には、野球練習のバッティングマシンでボールの代わりにバドミントンの羽根を用いるバッティングマシンであり、一方でバトミントンのバッティング練習にも使用可能で、バドミントンの羽根を放出する時に羽根の内面のすり鉢状の底部分を回転アームの先端部で叩き放出し、羽根を放出する時に羽根のフレーム根元部分にクシ歯形状を差込むようにして羽根のゴム部分を前にして回転アームにて投げる様に放出する方法に関する技術を開示している。
【先行技術文献】
【特許文献】
【０００３】
【特許文献１】特開平７−１６３６９４号公報
【特許文献２】特開２０１０−８２３９１号公報
【考案の概要】
【考案が解決しようとする課題】
【０００４】
バドミントンは、羽根（シャトル・コック）は壁面等に打っても跳ね返ってこないため、壁面等を利用して一人で練習することができない。特許文献１及び特許文献２には、一つの羽根を一人で打ち続けて練習することができない。
【０００５】
本考案は、一つの羽根を一人で打ち続けて練習することができるバドミントン練習器具を提供することを目的とする。
【課題を解決するための手段】
【０００６】
上記課題を解決するために、本考案の一つの実施形態は、羽根を跳ね返すことによって一人で練習することができるバドミントン練習器具であって、使用者が打った前記羽根を跳ね返す打ち返し手段と、前記打ち返し手段を保持する保持手段と、を有し、前記打ち返し手段は、所望の平面を有する網形状の部材であり、前記保持手段は、前記打ち返し手段に引張り応力をかけながら、該打ち返し手段の外縁を保持し、前記使用者が打った前記羽根を、前記打ち返し手段の前記所望の平面で受け、前記打ち返し手段の張力で該羽根を跳ね返す、ことを特徴とするバドミントン練習器具を提供する。
【０００７】
本考案の他の実施形態は、上記のバドミントン練習器具であって、前記打ち返し手段の前記張力を調整する張力調整手段を更に有し、前記張力調整手段は、前記使用者が打った前記羽根を受ける表面とは反対側の裏面に配置され、前記打ち返し手段の前記網形状の部材に押し付けて前記打ち返し手段の前記引張り応力を増加させ、該打ち返し手段の前記張力を増加させ、跳ね返す前記羽根の速度を増加する、ことを特徴とするバドミントン練習器具であってもよい。
【０００８】
本考案の他の実施形態は、上記のバドミントン練習器具のいずれかであって、前記張力調整手段は、略棒形状の支持部材と、前記網形状の部材に押し付ける張力負荷部と、前記張力負荷部を前記支持部材に固定する取り付け部とを備え、前記支持部材は、前記打ち返し手段の前記網形状の部材の中心部から外縁部に向けて間隙が狭くなるように配置され、前記取り付け部は、前記支持部材の略棒形状の長手方向に移動可能に前記張力負荷部を取り付け、前記張力負荷部は、前記取り付け部を用いて前記支持部材の略棒形状の長手方向の所望の位置に固定され、前記張力を減少するときに前記網形状の部材の中心部に固定し、前記張力を増加するときに前記網形状の部材の外縁部に固定して、前記打ち返し手段の前記張力を調整する、ことを特徴とするバドミントン練習器具であってもよい。
【考案の効果】
【０００９】
本考案に係るバドミントン練習器具によれば、一つの羽根を一人で打ち続けて練習することができる。また、本考案に係るバドミントン練習器具によれば、壁打ちの場合と比較して、発生する音を小さくし、羽根が跳ね返ってくる力を向上し、静音と反発力を両立して、一つの羽根を一人で打ち続けて練習することができる。
【図面の簡単な説明】
【００１０】
【図１】本発明の実施形態に係るバドミントン練習器具の一例を示す概略構成図である。
【図２】本発明の実施形態に係るバドミントン練習器具の張力調整手段の一例を示す概略構成図である。
【図３】本発明の実施形態に係るバドミントン練習器具の張力調整手段の張力調整の方法を説明する説明図である。
【図４】本発明の実施形態に係るバドミントン練習器具の一例を示す概略構成図である。
【図５】本発明の実施形態に係るバドミントン練習器具の打ち返し手段（ネット）の一例を説明する説明図である。
【図６】本発明の実施形態に係るバドミントン練習器具の一例を示す写真図である。
【考案を実施するための形態】
【００１１】
実施形態に係るバドミントン練習器具の例を用いて、本考案を説明する。なお、本考案は、以後に説明するバドミントン練習器具以外でも、羽根（シャトル・コック）を跳ね返すことによって一人で練習することができるもの（装置、部品、システム、器具、用具など）であれば、いずれのものにも用いることができる。
【００１２】
以後に、本考案を説明する。
【００１３】
図１乃至図６を用いて、本考案の実施形態に係るバドミントン練習器具の構成を説明する。ここで、図１（ａ）は、本発明の実施形態に係るバドミントン練習器具１００の一例を示す概略正面図である。図１（ｂ）は、本発明の実施形態に係るバドミントン練習器具１００の一例を示す概略側面図である。図１（ｃ）は、本発明の実施形態に係るバドミントン練習器具１００の一例を示す概略背面図である。図２（ａ）は、本発明の実施形態に係るバドミントン練習器具１００の張力調整手段１３の一例を示す概略構成図である。図２（ｂ）は、本発明の実施形態に係るバドミントン練習器具１００の張力調整手段１３を説明する拡大図である。図３（ａ）は、本発明の実施形態に係るバドミントン練習器具１００の張力調整手段１３の張力調整の方法（未調整時）を説明する説明図である。図３（ｂ）は、本発明の実施形態に係るバドミントン練習器具１００の張力調整手段１３の張力調整の方法（調整時）を説明する説明図である。図４は、本発明の実施形態に係るバドミントン練習器具１００Ｕ１の一例を示す概略構成図である。図５は、本発明の実施形態に係るバドミントン練習器具の打ち返し手段（ネット）の一例を説明する説明図である。図６（ａ）は、本発明の実施形態に係るバドミントン練習器具１００Ｕ２の一例を示す正面写真図である。図６（ｂ）は、本発明の実施形態に係るバドミントン練習器具１００Ｕ２の一例を示す側面写真図である。
【００１４】
なお、図１等に示すバドミントン練習器具の構成等は一例であり、本考案は図１等に示すバドミントン練習器具等に限定されるものではない。
【００１５】
図１に示すように、本考案に係るバドミントン練習器具１００は、羽根を跳ね返すことによって一人で練習することができるもの（装置、部品、システム、器具、用具など）である。バドミントン練習器具１００は、使用者が打った羽根を跳ね返す打ち返し手段１２と、打ち返し手段１２を保持する保持手段１１と、を有する。また、バドミントン練習器具１００は、本実施形態では、打ち返し手段１２の張力を調整する張力調整手段１３を更に有し、を備える。
【００１６】
本考案に係るバドミントン練習器具１００は、使用者が打った羽根を、打ち返し手段１２の所望の平面で受け、打ち返し手段１２の張力で羽根を跳ね返す。これにより、本考案に係るバドミントン練習器具１００は、バドミントンの羽根を自動で跳ね返すことができ、一人で練習することができる。なお、所望の平面の大きさは、使用者・販売者が予め設計・設定することができる。また、図４に示すように、本考案に係るバドミントン練習器具１００Ｕ１は、脚部を取り付ける構造であってもよい。
【００１７】
保持手段１１は、打ち返し手段１２の外縁を保持する手段である。保持手段１１は、打ち返し手段１２に引張り応力をかけながら、打ち返し手段１２の外縁を保持する。保持手段１１は、本実施形態では、略四角形の打ち返し手段１２の外縁を保持するために、図１に示すように、４本の棒状部材で構成する。これにより、バドミントン練習器具１００は、保持手段１１を用いて、打ち返し手段１２に引張り応力をかけ、使用者が打った羽根を跳ね返す張力（テンション）を発生させることができる。保持手段は、たとえば９００ｍｍ×９００ｍｍの枠形状であってもよい。なお、保持手段が引張り応力をかけながら打ち返し手段を保持する方法は、使用者・販売者が予め設計・設定することができ、公知の技術を利用することができる。
【００１８】
打ち返し手段１２は、使用者が打った羽根を跳ね返す手段である。打ち返し手段１２は、本実施形態では、図１に示すように、所望の平面を有する略四角形の網形状の部材である。なお、所望の平面の大きさ・形状は、使用者・販売者が予め設計・設定する大きさ・形状とすることができる。所望の平面の大きさは、使用者・販売者が予め設計・設定する大きさとすることができる。打ち返し手段の網形状の部材の張力（テンション）は、使用者・販売者が予め設計・設定する大きさとすることができる。打ち返し手段の網形状の部材の張力は、ラケットのガットと同様のテンション（約18ポンド）としてもよい。打ち返し手段は、たとえば９００ｍｍ×９００ｍｍの大きさであってもよい。打ち返し手段の網目は、たとえば７〜８ｍｍ角の大きさであってもよい。
【００１９】
図５に示すように、打ち返し手段の網形状の部材は、テグス（てぐす糸）にラケットのガットと同様のテンション（約１８ポンド）を掛けたネットを用いることができる。なお、打ち返し手段の網形状の部材やテンションは、使用者・販売者が予め設計・設定する部材やテンションとすることができる。
【００２０】
張力調整手段１３は、打ち返し手段１２の張力を調整する手段である。張力調整手段１３は、図２に示すように、保持手段１１に固定する支持部材１３Ａと、張力を調整する調整部材１３Ｂとを有する。張力調整手段１３は、図１に示すように、使用者が打った羽根を受ける表面とは反対側の裏面に配置される。張力調整手段１３は、打ち返し手段１２の網形状の部材に押し付けて、打ち返し手段１２の引張り応力を増加させ、打ち返し手段１２の張力を増加させ、跳ね返す羽根の速度を増加する。
【００２１】
支持部材１３Ａは、図１および図２に示すように、略棒形状の２本の部材である。支持部材１３Ａは、保持手段１１（４本の棒状部材で構成される四角の枠形状）の辺の中央と対向する辺の中央にそれぞれ接続される。また、支持部材１３Ａは、図１（ｂ）に示すように、打ち返し手段１２の網形状の部材の中心部から外縁部に向けて間隙が狭くなるように配置される。
【００２２】
調整部材１３Ｂは、図２に示すように、網形状の部材（打ち返し手段１２）に押し付ける張力負荷部１３Ｂ２と、張力負荷部１３Ｂ２を支持部材１３Ａに固定する取り付け部１３Ｂ１とを備える。取り付け部１３Ｂ１は、支持部材１３Ａの略棒形状の長手方向に移動可能に張力負荷部１３Ｂ２を取り付ける。なお、取り付け部が張力負荷部を取り付ける方法は、使用者・販売者が予め設計・設定することができ、公知の技術を利用することができる。張力負荷部１３Ｂ２は、取り付け部１３Ｂ１を用いて、支持部材１３Ａの略棒形状の長手方向の所望の位置に配置される。なお、張力負荷部の材料は、弾性体であればよく、使用者・販売者が予め設計・設定することができ、公知の技術を利用することができる。張力負荷部の材料は、スポンジやクッション、タオル部材などを用いることができる。
【００２３】
図３（ａ）および図３（ｂ）に示すように、張力負荷部１３Ｂ２は、張力を減少するときに網形状の部材（打ち返し手段）の中心部に固定し（図３（ａ））、張力を増加するときに網形状の部材（打ち返し手段）の外縁部に固定して（図３（ｂ）のＭｒ）、打ち返し手段１２の張力を調整する。これにより、本考案に係るバドミントン練習器具１００は、張力調整手段１３を用いて、打ち返し手段１２の張力を調整することができ、使用者が打った羽根を跳ね返す速度を調整することができる。
【００２４】
図６に、本発明の実施形態に係るバドミントン練習器具１００Ｕ２の例を示す。図６に示すように、バドミントン練習器具１００Ｕ２は、調整部材１３ＢＵ（張力調整手段）を配置することができる。
【００２５】
以上のとおり、本考案に係るバドミントン練習器具によれば、打ち返し手段を用いて使用者が打った羽根を跳ね返すことができるので、使用者が何度も打ち続けることができ、一つの羽根を一人で何度も打ち続けて練習することができる。また、本考案に係るバドミントン練習器具によれば、網形状の部材（打ち返し手段）で羽根を跳ね返すので、壁打ちの場合と比較して、発生する音を小さくすることができ、羽根が跳ね返ってくる力を向上することができ、静音と反発力を両立することができる。また、本考案に係るバドミントン練習器具によれば、張力調整手段を用いて張力を調整することができるので、使用者が打った羽根を跳ね返す速度を調整することができ、使用者が羽根の速度に応じた複数のショットを練習することができる。また、本考案に係るバドミントン練習器具によれば、張力負荷部で網形状の部材（打ち返し手段）の振動を吸収することができる。また、本考案に係るバドミントン練習器具によれば、（壁打ちの場合には正面から撮影できないが、）網形状の部材（打ち返し手段）のため、正面からのホームチエックの動画撮影をすることができる。更に、本考案に係るバドミントン練習器具によれば、従来品と比較して、電動ではなく、小型化、省電力・省スペース化を実現することができ、部品点数を削減でき、生産コストを低減することができる。
【００２６】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２７】
１００，１００Ｕ１，１００Ｕ２  ：  バドミントン練習器具
１１  ：  保持手段
１２  ：  打ち返し手段
１３  ：  張力調整手段
１３Ａ：  支持部材
１３Ｂ，１３ＢＵ：  調整部材
１３Ｂ１：  取り付け部
１３Ｂ２：  張力負荷部
Ｍｒ  ：  移動（張力調整手段の移動方向）
【図１】
0003230804.tif 000003
【図２】
0003230804.tif 000004
【図３】
0003230804.tif 000005
【図４】
0003230804.tif 000006
【図５】
0003230804.tif 000007
【図６】
0003230804.tif 000008